(57)【特許請求の範囲】
【請求項１】
複数本の吊元側上がりに傾斜した斜架材と吊元側下がりに傾斜した斜架材とが交差し、交差部がピン軸で枢着された伸縮自在なパンタグラフ機構と、このパンタグラフ機構に上下方向に跨って配置された伸縮方向に複数個の縦格子とを備えた扉本体を形成し、この扉本体の吊元側端を吊元柱等の固定部材に連結する伸縮門扉において、
前記斜架材は、相対向する第１，２辺部及び第３，４辺部を有する断面四辺形の金属パイプ材からなり、前記第１，２辺部の上端縁および下端縁はそれぞれ凸円弧形状に形成され、前記第３，４辺部の上端縁および下端縁はそれぞれ切除されており、
前記斜架材の上端部には上部エンドキャップが、前記斜架材の下端部には下部エンドキャップがそれぞれ挿入嵌合され、上部エンドキャップ、下部エンドキャップはそれぞれ前記斜架材の各内部空間に嵌合する差込脚部を有し、上部エンドキャップの差込脚部の頭側端縁は前記斜架材の第１，２辺部の上端縁の凸円弧形状に合致する凸円弧形状に形成され、下部エンドキャップの差込脚部の頭側端縁は前記斜架材の第１，２辺部の下端縁の凸円弧形状に合致する凸円弧形状に形成されており、
前記上部エンドキャップの差込脚部の凸円弧形状の頭側端縁の外周に沿って鍔が、前記斜架材の第１，２辺部の凸円弧形状の上端縁および第３，４辺部の上端縁をそれぞれ覆う形に形成され、前記下部エンドキャップの差込脚部の凸円弧形状の頭側端縁の外周に沿って鍔が、前記斜架材の第１，２辺部の凸円弧形状の下端縁および第３，４辺部の下端縁をそれぞれ覆う形に形成されていることを特徴とする、伸縮門扉。
【請求項２】
前記上部エンドキャップおよび下部エンドキャップの各差込脚部には前記ピン軸が挿通する孔が設けられている、請求項１記載の伸縮門扉。
【請求項３】
前記斜架材の第１，２辺部の内面にリブがその長手方向にわたって設けられ、前記上部エンドキャップおよび下部エンドキャップの各差込脚部には前記リブに嵌合する凹溝が形成されている、請求項１又は２記載の伸縮門扉。
【発明の詳細な説明】
【技術分野】
【０００１】
本発明は、扉本体がパンタグラフ機構により伸び縮みする伸縮門扉に関する。
【背景技術】
【０００２】
この種の伸縮門扉として、例えば、図１７に示すように、複数本の吊元側上がりに傾斜した斜架材（斜桟）６０と吊元側下がりに傾斜した斜架材（斜桟）６１とを交差し、交差部がピン軸６２で枢着されたパンタグラフ機構６３により伸縮する扉本体６４を形成し、この扉本体６４の吊元側端を吊元柱等の固定部材に連結したものがある（例えば、特許文献１参照。）。
【先行技術文献】
【特許文献】
【０００３】
【特許文献１】特開平９−２０９６７１号公報（図１）
【発明の概要】
【発明が解決しようとする課題】
【０００４】
しかるに、上記構成の伸縮門扉では、斜架材６０，６１は断面四辺形で、それぞれの上端部６０ａ，６１ａおよび下端部６０ｂ，６１ｂは角型に形成されているので、扉本体６４の伸長動作において、斜架材６０，６１の上端部６０ａ，６１ａと下端部６０ｂ．６１ｂの角部が縦格子６５の幅方向から突出して外観体裁の悪化を招くものであった。そこで、斜架材６０，６１の上下端部の角部が縦格子６５の幅方向から突出しないように、縦格子６５の幅を大きくすると、扉本体６４を折畳んだ際の縮め幅が縦格子６５の幅分だけ大きくなり、コンパクトな折畳み状態が得られないものであった。
【０００５】
本発明は、このような問題を解決するためになされたものであり、その目的とするところは、上記のようなパンタグラフ機構を備えた伸縮門扉において、各斜架材の上下端部の構造に工夫を凝らすことにより斜架材の上下端部の角部が縦格子の幅方向から突出しないようにして外観的体裁を良好にし、また扉本体のコンパクトな折畳み状態を得ることができ、さらに斜架材の上下端部の補強、強度アップ、耐久性の向上を図れ、見映えも良好にする伸縮門扉を提供することにある。
【課題を解決するための手段】
【０００６】
本発明は、請求項１に記載のように、その発明の内容を理解しやすくするために図１〜図１５に付した符号を参照して説明すると、複数本の吊元側上がりに傾斜した斜架材２と吊元側下がりに傾斜した斜架材３とが交差し、交差部がピン軸（４ａ，４ｂ，４ｃ，４ｄ）で枢着された伸縮自在なパンタグラフ機構と、このパンタグラフ機構に上下方向に跨って配置された伸縮方向に複数個の縦格子８とを備えた扉本体９を形成し、この扉本体９の吊元側端を吊元柱１０等の固定部材に連結する伸縮門扉において、以下のように構成したことに特徴を有するものである。
斜架材２，３は、相対向する第１，２辺部２３・２３，２４・２４及び第３，４辺部２５・２５，２６・２６を有する断面四辺形の金属パイプ材からなり、第１，２辺部２３・２３，２４・２４の上端縁２３ａ，２４ａおよび下端縁２３ｂ，２４ｂはそれぞれ凸円弧形状に形成され、第３，４辺部２５・２５，２６・２６の上端縁２５ａ，２６ａおよび下端縁２５ｂ，２６ｂはそれぞれ切除されている。
斜架材２，３の各上端部には上部エンドキャップ２９が、斜架材２，３の各下端部には下部エンドキャップ３０がそれぞれ挿入嵌合される。上部エンドキャップ２９、下部エンドキャップ３０はそれぞれ斜架材２，３の各内部空間に嵌合する差込脚部２９ａ，３０ａを有し、上部エンドキャップ２９の差込脚部２９ａの頭側端縁２９ｂは斜架材２，３の各第１，２辺部２３・２３，２４・２４の上端縁２３ａ，２４ａの凸円弧形状に合致する凸円弧形状に形成され、下部エンドキャップ３０の差込脚部３０ａの頭側端縁３０ｂは斜架材２，３の各第１，２辺部２３・２３，２４・２４の下端縁２３ｂ，２４ｂの凸円弧形状に合致する凸円弧形状に形成されている。
上部エンドキャップ２９の差込脚部２９ａの凸円弧形状の頭側端縁２９ｂの外周に沿って鍔２９ｃが、斜架材２，３の各第１，２辺部２３・２３，２４・２４の凸円弧形状の上端縁２３ａ，２４ａおよび各第３，４辺部２５・２５，２６・２６の上端縁２５ａ，２６ａをそれぞれ覆う形に形成されている。下部エンドキャップ３０の差込脚部３０ａの凸円弧形状の頭側端縁３０ｂの外周に沿って鍔３０ｃが、斜架材２，３の各第１，２辺部２３・２３，２４・２４の凸円弧形状の下端縁２３ｂ，２４ｂおよび各第３，４辺部２５・２５，２６・２６の下端縁２５ｂ，２６ｂをそれぞれ覆う形に形成されている。
【０００７】
このような構成の伸縮門扉によれば、斜架材２，３の各第１，２辺部２３・２３，２４・２４の上端縁２３ａ，２４ａおよび下端縁２３ｂ，２４ｂはそれぞれ凸円弧形状に形成され、各第３，４辺部２５・２５，２６・２６の上端縁２５ａ，２６ａおよび下端縁２５ｂ，２６ｂはそれぞれ切除され、これら斜架材２，３の各第１，２辺部２３・２３，２４・２４の凸円弧形状の上端縁２３ａ，２４ａおよび各第３，４辺部２５・２５，２６・２６の上端縁２５ａ，２６ａは斜架材２，３の上端部、下端部にそれぞれ挿入嵌合された上部エンドキャップ２９、下部エンドキャップ３０のそれぞれの鍔２９ｃ，３０ｃで覆われていることにより、斜架材２，３の上下端部の角部が縦格子８の幅方向から突出しないようにすることできて外観的体裁を良好にし、また扉本体９のコンパクトな折畳み状態を得ることができる。さらに斜架材２，３の凸円弧形状に形成された上下端縁２５ａ，２６ａ、２５ｂ，２６ｂは上部エンドキャップ２９および下部エンドキャップ３０の鍔２９ｃ，３０ｃにより覆われて丸味を帯び見映えを良好にする。
【０００８】
また、斜架材２，３の各上端部および下端部に上部エンドキャップ２９の差込脚部２９ａ、下部エンドキャップ３０の差込脚部３０ａがそれぞれ挿入嵌合されているので、斜架材２，３の各第１，２辺部２３，２４の上端縁２３ａ，２４ａおよび下端縁２５ｂ，２６ｂがそれぞれ凸円弧形状の自由端に形成されていても、これらが斜架材２，３の内部に向かってたわみ変形するのを防止できて補強、強度アップ、耐久性を向上できる。
【０００９】
請求項１記載の伸縮門扉は、請求項２に記載のように、上部エンドキャップ２９および下部エンドキャップ３０の各差込脚部２９ａ，３０ａにはピン軸（４ａ，４ｂ）が挿通する孔３１が設けられるという構成を採用することができる。この構成によると、ピン軸（４ａ，４ｂ）を利用するという簡単な手段で上部エンドキャップ２９および下部エンドキャップ３０が斜架材２，３の各上端部および各下端部から抜け出るのを確実に阻止することができる。
【００１０】
請求項１又は２記載の伸縮門扉は、請求項３に記載のように、斜架材２，３の各第１，２辺部２３・２３，２４・２４の各内面にリブ２７，２８がその長手方向にわたって設けられ、上部エンドキャップ２９および下部エンドキャップ３０の各差込脚部２９ａ，３０ａにはリブ２７，２８に嵌合する凹溝５１が形成されるという構成を採用することができる。これにより、斜架材２，３の各上端部および各下端部の強度アップをより一層高めることができる。
【発明の効果】
【００１１】
本発明の伸縮門扉によれば、斜架材の上下端部の角部が縦格子の幅方向から突出しないようにすることできて外観的体裁を良好にし、また扉本体のコンパクトな折畳み状態を得ることができ、さらに斜架材の上下端部の補強、強度アップ、耐久性の向上を図れ、見映えも良好にすることができて有利である。
【図面の簡単な説明】
【００１２】
【図１】本発明の一実施例の伸縮門扉の伸長状態を示す全体正面図である。
【図２】同伸縮門扉の上段のパンタグラフ機構の斜架材を一部破断状態で示す正面図である。
【図３】図２の斜架材に各種ピン軸を備えた縦断側面図である。
【図４】同伸縮門扉の下段のパンタグラフ機構の斜架材を一部破断状態で示す正面図である。
【図５】図４の斜架材に各種ピン軸を備えた縦断側面図である。
【図６】図１における交差部Ｃ１における断面図である。
【図７】図１における交差部Ｃ２における断面図である。
【図８】図１における交差部Ｃ３における断面図である。
【図９】図１における交差部Ｃ４における断面図である。
【図１０】図１における交差部Ｃ５における断面図である。
【図１１】同伸縮門扉に使用する上下部のエンドキャップを示すものであって、（ａ）は平面図、（ｂ）は正面図、（ｃ）は側面図、（ｄ）は底面図である。
【図１２】同伸縮門扉に使用する他の下部エンドキャップを示すものであって、（ａ）は平面図、（ｂ）は正面図、（ｃ）は側面図、（ｄ）は底面図である。
【図１３】同伸縮門扉に使用する交点ピン軸を示すものであって、（ａ）は平面図、（ｂ）は（ａ）におけるＡ−Ａ線断面図、（ｃ）は底面図である。
【図１４】同伸縮門扉に使用する固定用ブッシュを示すものであって、（ａ）は平面図、（ｂ）は（ａ）におけるＢ−Ｂ線断面図、（ｃ）は底面図である。
【図１５】同伸縮門扉に使用する固定用ブッシュのキャップを示すものであって、（ａ）は平面図、（ｂ）は（ａ）におけるＣ−Ｃ線断面図、（ｃ）は底面図である。
【図１６】同伸縮門扉の伸長状態を無重力状態で示す全体の正面図である。
【図１７】従来例の伸縮門扉の伸長状態を示す全体正面図である。
【発明を実施するための形態】
【００１３】
以下、本発明の好適な実施形態を図面に基づき説明する。
【００１４】
図１に示すように、本発明の一実施例に係る伸縮門扉１は、複数本の吊元側上がり（図上において右上がり）に傾斜した斜架材２と吊元側下がり（図上において右下がり）に傾斜した斜架材３とが交差し、交差部が各種ピン軸（後記の固定タイプのピン軸４ａ、移動タイプのピン軸４ｂ、交点ピン軸４ｃ，４ｄ）で枢着されて伸縮自在に構成された上下二段のパンタグラフ機構５，６と、上段のパンタグラフ機構５と下段のパンタグラフ機構６との間の上下方向中間部に形成された、パンタグラフ機構の存在しない無パンタグラフ機構ゾーン７と、上段のパンタグラフ機構５、無パンタグラフ機構ゾーン７、および下段のパンタグラフ機構６に跨って上下方向に配置され且つ前記交差部群のうち所定の交差部で各パンタグラフ機構５，６に連結された伸縮方向に複数個の縦格子８と、を備えた扉本体９を形成し、この扉本体９の吊元側端を吊元柱１０等の固定部材に連結している。
【００１５】
扉本体９は、左右に間隔をおいて相対向状に地面Ｇに立設した吊元柱１０と戸当り柱１１間に配設される。本発明の伸縮扉は、吊元柱１０の内端面と戸当り柱１１の内端面との間隔が９００〜１７００ｍｍ程度の比較的狭い間口に好適に使用できるものとする。
扉本体９の吊元側端には回転柱１２が設けられ、この回転柱１２は吊元柱１０にヒンジ１３を介して水平方向に１８０°回転自在に取り付けられている。
一方、扉本体９の戸当り側端には移動柱１４が設けられ、この移動柱１４には錠前１５を設け、この錠前１５によって移動柱１４を戸当り柱１１に施錠・解錠可能にしている。移動柱１４の前後両側には、扉本体９の伸縮操作用の把手１６が設けられている。また、移動柱１４には落とし棒装置１７が設けられており、扉本体９の全閉状態において、地面Ｇに穿設した孔（図示せず）に落とし棒１７ａの下端部が嵌入して、扉本体９の伸縮動作を阻止するようにしている。
【００１６】
回転柱１２と移動柱１４との間には、伸縮自在な上下二段のパンタグラフ機構５，６が設けられる。伸縮門扉全体の軽量化、開閉操作の容易化を図るために、上段のパンタグラフ機構５と下段のパンタグラフ機構６との間の上下方向中間部には、パンタグラフ機構の存在しない無パンタグラフ機構ゾーン７を形成している。各パンタグラフ機構５，６は、複数本の吊元側上がり（図上において右上がり）に傾斜した斜架材２および吊元側下がり（図上において右下がり）に傾斜した斜架材３と、伸縮方向に複数個の縦格子８とから構成されている。縦格子８の前後縦枠８ａ，８ｂは、図６、図７、図９にその横断面図を示すように、各外面側に凹溝１８を上下方向に亘って形成するウエブ１９と、このウエブ１９の左右端に連設する左右一対のフランジ２０、および左右の各フランジ２０に付設したリップ２１とを有する断面リップ溝形に形成されている。凹溝１８には断面π形状の縦格子カバー２２が嵌め込まれる。
【００１７】
吊元側上がりの斜架材２及び吊元側下がりの斜架材３は、図６〜図１０に各横断面図を示すように、それぞれアルミニウム製の相対向する第１，２辺部（図示例では長辺部）２３・２３，２４・２４及び第３，４辺部（図示例では短辺部）２５・２５，２６・２６を有する断面四辺形（図示例では断面長方形）のパイプ材からなり、斜架材２，３の各第１，２辺部２３，２４の内面にはリブ２７，２８がその長手方向に亘って形成されている。
扉本体９の伸長動作において、斜架材２，３の上下端部の角部が縦格子８の幅方向から突出しないようにして外観的体裁を良好にし、また扉本体９のコンパクトな折畳み状態を得ることができるようにするために、図２、図４に示すように、斜架材２，３の各第１，２辺部２３，２４の上端縁２３ａ，２４ａおよび下端縁２３ｂ，２４ｂはそれぞれ、斜架材２，３の各幅分長さを直径とした半円形状である凸円弧形状に形成される。これに伴い各第３，４辺部２５，２６の上端縁２５ａ，２６ａおよび下端縁２５ｂ，２６ｂはそれぞれ切除される。
【００１８】
そして、図２〜図５に示すように、斜架材２，３の各第１，２辺部２３，２４の上端縁２３ａ，２４ａおよび下端縁２５ｂ，２６ｂがそれぞれ凸円弧形状の自由端に形成される形状からしてこれらが斜架材２，３の内部に向かってたわみ変形しやすいのを防止する補強対策を講じるために、斜架材２，３の各上端部および下端部には樹脂製又は金属製の上部エンドキャップ２９、下部エンドキャップ３０がそれぞれ挿入嵌合される。図１１、図１２に示すように、上部エンドキャップ２９および下部エンドキャップ３０はそれぞれ斜架材２，３の各内部空間内に嵌合する差込脚部２９ａ、３０ａを有し、この差込脚部２９ａ、３０ａの各頭側端縁２９ｂ、３０ｂは斜架材２，３の各第１，２辺部２３，２４の上端縁２３ａ，２４ａおよび下端縁２５ｂ，２６ｂの凸円弧形状に合致する凸円弧形状に形成され、この凸円弧形状の頭側端縁２９ｂ、３０ｂの各外周に沿って鍔２９ｃ、３０ｃが形成されている。図２〜図４に示すように、上部エンドキャップ２９、下部エンドキャップ３０が斜架材２，３の各上端部および下端部にそれぞれ挿入された状態で、各鍔２９ｃ，３０ｃは斜架材２，３の各第１，２辺部２３，２４の凸円弧形状の上端縁２３ａ，２４ａの表面、下端縁２３ｂ，２４ｂの表面、および第３，４辺部２５，２６の上端縁２５ａ，２６ａの表面、下端縁２５ｂ，２６ｂの表面をそれぞれ覆う形に形成されている。
また、図１１、図１２に示すように、上部エンドキャップ２９の差込脚部２９ａおよび下部エンドキャップ３０の差込脚部３０ａにはそれぞれ後述するピン軸４ａ，４ｂや固定用ブッシュ３８，４３が挿通する孔３１と、リブ２７，２８に嵌合する凹溝５１が形成される。因みに、上段の斜架材２，３の各上下端部および下段の斜架材２，３の各上端部には図１１に示す上部エンドキャップ２９あるいは下部エンドキャップ３０が挿入され、下段の斜架材２，３の各下端部には図１２に示す下部エンドキャップ３０が挿入される。
【００１９】
上記のように上部エンドキャップ２９の鍔２９ｃおよび下部エンドキャップ３０の鍔３０ｃが各上端縁２３ａ，２４ａ，２５ａ，２６ａの表面や各下端縁２３ｂ，２４ｂ，２３ｂ，２４ｂの表面を覆うことにより当該箇所の化粧をすることができて見映えを良くする。また、斜架材２，３の各上端部および下端部に上部エンドキャップ２９および下部エンドキャップ３０がそれぞれ挿入嵌合されるときに、各鍔２９ｃ，３０ｃは各上端縁２３ａ，２４ａ，２５ａ，２６ａの表面や各下端縁２３ｂ，２４ｂ，２３ｂ，２４ｂの表面に覆い当接し、この当接と同時に上部エンドキャップ２９および下部エンドキャップ３０の差込脚部２９ａ，３０ａの各孔３１がこれに挿通するピン軸４ａ，４ｂや固定用ブッシュ３８，４３の位置と一致するようにすることができる。つまり、鍔２９ｃ，３０ｃは上部エンドキャップ２９や下部エンドキャップ３０の斜架材２，３の上下端部への差込み深さを規制する機能をも兼備することができる。
【００２０】
吊元側上がりの斜架材２と吊元側下がりの斜架材３とは相互の交差箇所において各種ピン軸（後記の固定タイプのピン軸４ａ、移動タイプのピン軸４ｂ、交点ピン軸４ｃ，４ｄ）で相対回転自在に枢着される。
【００２１】
すなわち、図１において、上段のパンタグラフ機構５の縦格子８と連結された最上部の交差部Ｃ１は縦格子８の定位置に対し固定タイプのピン軸４ａを介して回動自在に枢支連結され、同上段のパンタグラフ機構５の縦格子８と連結された最上部以外の交差部Ｃ２は縦格子８に対し移動タイプのピン軸４ｂを介して上下摺動自在に連結される。
【００２２】
図６に示すように、上段のパンタグラフ機構５の縦格子８の前後縦枠８ａ，８ｂと連結される最上部の交差部Ｃ１における固定タイプのピン軸４ａは、中空状に形成されて前後両端に雌ねじ３２を有し、斜架材２，３の上端部同士と、この斜架材２，３の上端部同士間に介在する減摩材からなるスペーサ３３と、斜架材２，３の各上端部と縦格子８の前後縦枠８ａ，８ｂとの間にそれぞれ介在する減摩材からなる軸受ブッシュ３４，３４とに貫通するように枢着される。その際、ピン軸４ａが斜架材２，３の各上端に挿通されるとき斜架材２，３の各上端部に挿入された上部エンドキャップ２９の差込脚部２９ａの孔３１の位置に一致してこれにも挿通されることにより、上部エンドキャップ２９が斜架材２，３の各上端部から抜け出るのを阻止される。そして、縦格子８の前後縦枠８ａ，８ｂ内に臨むピン軸４ａの前後端の各雌ねじ３２にはビス３５が各縦格子８の凹溝１８内からねじ込まれ、これにより固定タイプのピン軸４ａは縦格子８の前後縦枠８ａ，８ｂ内に上下動不能に定着され、扉本体９の伸縮動作の際の上下位置に変動はない。ビス３５の頭部３５ａは縦格子カバー２２で覆い隠すことで雨水から防護して錆発生を防止し、また外観的に見映えを良くしている。
【００２３】
図７に示すように、上段のパンタグラフ機構５の縦格子８の前後縦枠８ａ，８ｂと連結される最上部以外の交差部Ｃ２における移動タイプのピン軸４ｂは、斜架材２，３の下端部同士と、この斜架材２，３の下端部同士間に介在する減摩材からなるスペーサ３６と、斜架材２，３の各下端部と縦格子８の前後縦枠８ａ，８ｂとの間にそれぞれ介在する減摩材からなる軸受ブッシュ３７とに貫通するように枢着される。その際、ピン軸４ｂが斜架材２，３の各下端に挿通されるとき斜架材２，３の各下端部に挿入された下部エンドキャップ３０の差込脚部３０ａの孔３１の位置に一致してこれにも挿通されることにより、下部エンドキャップ３０が斜架材２，３の各下端部から抜け出るのを阻止される。前後の各軸受ブッシュ３７は左右側部にスライド溝３７ａ、３７ａを有し、このスライド溝３７ａ，３７ａを前後縦枠８ａ，８ｂの各リップ２１に摺動自在に嵌合することで、扉本体９が伸縮する際にピン軸４ｂが縦格子８の前後縦枠８ａ，８ｂの溝内を軸受ブッシュ３７を介して上下に移動するようにしている。
【００２４】
図８に示すように、上段のパンタグラフ機構５の斜架材２，３の上下中間部同士の交差部Ｃ３は交点ピン軸４ｃで枢着される。図１３に示すように、この交点ピン軸４ｃはこれの一端部に樹脂製の鍔３８ｆを有する断面ハット形の固定用ブッシュ３８をインサート成形等で固着し、他端部に雌ねじ３９を設けている。図８に示すように、この交点ピン軸４ｃは固定用ブッシュ３８を一方の斜架材２の第１，２辺部２３の上下中間部に設けた孔４０内に鍔３８ｆを孔４０の外周に配するよう抜け止め状に嵌合固定するとともに、斜架材２，３の上下中間部同士と、この斜架材２，３の上下中間部同士間に介在する減摩材からなるスペーサ４１に挿通させて他端部を他方の斜架材３の溝内に突出させる。この交点ピン軸４ｃの突出他端部は他方の斜架材３の第１，２辺部２４の上下中間部に設けた孔４２内に鍔４３ｆを孔４２の外周に配するよう抜け止めに嵌合固定される断面ハット形の鍔付き固定用ブッシュ４３（図１４参照）に挿通して雌ねじ３９にビス４４をねじ込むことで枢着される。
【００２５】
その際、図８に示すように、一方の斜架材２に嵌合した固定用ブッシュ３８はこれの内端面に回り止め溝４５を径方向に設けており、この回り止め溝４５を一方の斜架材２の第１，２辺部２３の内面に設けているリブ２７に嵌合させて一方の斜架材２に回り止め状態に結合する。同じように他方の斜架材３に嵌合した固定用ブッシュ４３の内端面に回り止め溝４６を径方向に設けており、この回り止め溝４６を他方の斜架材３の第１，２辺部２４の内面に設けているリブ２８に嵌合させて他方の斜架材３に回り止め状態に結合する。したがって、ビス４４を交点ピン軸４ｃの雌ねじ３９にねじ込むとき固定用ブッシュ３８，４３が共回りするのを防止できる。固定用ブッシュ４３の凹部４３ａにはキャップ４７（図１５参照）を嵌合させて固定用ブッシュ４３の凹部４３ａ内に臨むビス４４の頭部４４ａを覆い隠している。
【００２６】
このように、斜架材２，３の上下中間部同士の交差部Ｃ３の交点ピン軸４ｃを留めつけるビス４４の頭部４４ａは外部に突出することのないように、固定用ブッシュ４３の凹部４３ａ内に沈むように納めることで、安全性を確保でき、また開扉時に前後の斜架材２，３を縦格子８の前後縦枠８ａ，８ｂ間にコンパクトに納められて扉本体９の前後方向（奥行方向）の厚みを少なくすることができて扉本体９の薄型化、コンパクト化を図ることができる。また、キャップ４７でビス４４の頭部４４ａを覆い隠すことにより雨水から防護して錆発生を防止し、また外観的体裁を良好にすることができる。
【００２７】
図１において、下段のパンタグラフ機構６の縦格子８の前後縦枠８ａ，８ｂと連結される最下部以外の交差部Ｃ２は、図７に示す上段のパンタグラフ機構５の縦格子８の前後縦枠８ａ，８ｂと連結される最上部以外の交差部Ｃ２における移動タイプのピン軸４ｂの場合と同様に、縦格子８の前後縦枠８ａ，８ｂに対し移動タイプのピン軸４ｂを介して上下摺動自在に連結される。
図９に示すように、同下段のパンタグラフ機構６の縦格子８と連結された最下部の交差部Ｃ４は、図６に示す上段のパンタグラフ機構５の縦格子８の前後縦枠８ａ，８ｂと連結される最上部の交差部Ｃ１における固定タイプのピン軸４ａの場合と同様に、縦格子８の前後縦枠８ａ，８ｂの定位置に対し固定タイプのピン軸４ａを介して回動自在に枢支連結される。
【００２８】
下段のパンタグラフ機構６の斜架材２，３の上下中間部同士の交差部Ｃ３における交点ピン軸４ｃは、図８に示す上段のパンタグラフ機構５の斜架材２，３の上下中間部同士の交差部Ｃ３における交点ピン軸４ｃの場合と同様の構造でもって枢着される。
【００２９】
図１０に示すように、下段のパンタグラフ機構６の斜架材２，３の下端部同士の交差部Ｃ５における交点ピン軸４ｄは、図８に示す交点ピン軸４ｃと同様にその一端部に樹脂製の鍔３８ｆを有する断面ハット形の固定用ブッシュ３８をインサート成形等で固着し、他端部に雌ねじ３９を設けている。この交点ピン軸４ｄは固定用ブッシュ３８を一方の斜架材２の下端部に設けた孔４８内に鍔３８ｆを孔４８の外周に配するよう抜け止め状に嵌合固定するとともに、斜架材２，３の下端部同士と、この斜架材２，３の下端部部同士間に介在する減摩材からなるスペーサ４９に挿通させて他端部を他方の斜架材３の溝内に突出させる。固定用ブッシュ３８が一方の斜架材２の下端部に嵌合固定されるとき、斜架材２の下端部に挿入された図１２に示す下部エンドキャップ３０の差込脚部３０ａの孔３１の位置に一致してこれにも嵌合されることにより、下部エンドキャップ３０が斜架材２の下端部から抜け出るのを阻止される。
【００３０】
上記のように他方の斜架材３の溝内に突出する交点ピン軸４ｄの突出他端部は、他方の斜架材３の下端部に設けた孔５０内に図８に示す断面ハット形の鍔付き固定用ブッシュ４３と同様に鍔４３ｆを孔５０の外周に配するよう抜け止めに嵌合固定される断面ハット形の鍔付き固定用ブッシュ４３に挿通して雌ねじ３９にビス４４をねじ込むことで枢着される。その際、固定用ブッシュ４３が、他方の斜架材３の下端部に嵌合固定されるとき、斜架材３の下端部に挿入された図１２に示す下部エンドキャップ３０の差込脚部３０ａの孔３１の位置に一致してこれにも嵌合されることにより、下部エンドキャップ３０が斜架材３の下端部から抜け出るのを阻止される。
【００３１】
また、図１０に示すように、一方の斜架材２に嵌合した固定用ブッシュ３８はこれの内端面に回り止め溝４５を径方向に設けており、この回り止め溝４５を一方の斜架材２の第１，２辺部２３の内面に設けているリブ２７に嵌合させて一方の斜架材２に回り止め状態に結合する。同じように他方の斜架材３に嵌合した固定用ブッシュ４３の内端面に回り止め溝４６を径方向に設けており、この回り止め溝４６を他方の斜架材３の第１，２辺部２４の内面に設けているリブ２８に嵌合させて他方の斜架材３に回り止め状態に結合する。したがって、ビス４４を交点ピン軸４ｄの雌ねじ３９にねじ込むとき固定用ブッシュ３８，４３が共回りするのを防止できる。固定用ブッシュ４３の凹部４３ａにはキャップ４７を嵌合させて固定用ブッシュ４３の凹部４３ａ内に臨むビス４４の頭部４４ａを覆い隠している。
このように、斜架材２，３の下端部同士の交差部Ｃ５のピン軸４ｄを留めつけるビス４４の頭部４４ａは外部に突出することのないように、固定用ブッシュ４３の凹部４３ａ内に沈むように納めることで、安全性を確保でき、また開扉時に前後の斜架材２，３を縦格子８の前後縦枠８ａ、８ｂ間にコンパクトに納められて扉本体９の前後方向（奥行方向）の厚みを少なくすることができて扉本体９の薄型化、コンパクト化を図ることができる。また、キャップ４７でビス４４の頭部４４ａを覆い隠すことにより雨水から防護して錆発生を防止し、また外観的体裁を良好にすることができる。
【００３２】
次に、上記構成の伸縮門扉１の開閉動作について説明する。先ず扉本体９を図１に仮想線Ｆで示す開扉状態から伸長させて図１に実線で示すように閉扉するときには、扉本体９の移動柱１４の把手１６を持って戸当り柱１１側へ引いて行く。すると、上段のパンタグラフ機構５の縦格子８と連結された最上部以外の交差部Ｃ２は縦格子８に対し移動タイプのピン軸４ｂを介して上方向に摺動し、下段のパンタグラフ機構６の縦格子８に連結された最下部以外の交差部Ｃ２は移動タイプのピン軸４ｂを介して下方向へ摺動して扉本体９は伸長する。その際、上段のパンタグラフ機構５の縦格子８と連結された最上部の交差部Ｃ１（固定タイプのピン軸４ａ）は縦格子８の定位置に、また下段のパンタグラフ機構６の縦格子８と連結された最下部の交差部Ｃ４（固定タイプのピン軸４ａ）も縦格子８の定位置にそれぞれ定着されてその上下位置に変動はないため、扉本体９の隣り合う縦格子８，８同士間の上端側および下端側にそれぞれ透き間が大きく生じることがなくて遮蔽感の低下半減を回避でき、門扉としての遮蔽感を確保でき、見映えも良好になる。
【００３３】
斜架材２，３同士の各交差箇所間の距離について、具体的には、例えば、図２に示すように、上段のパンタグラフ機構５の斜架材２，３の交差部Ｃ１と交差部Ｃ３間の距離ｄ１は１５４ｍｍ、交差部Ｃ３と交差部Ｃ２間の距離ｄ２は１５４．５ｍｍとする。図４に示すように、下段のパンタグラフ機構６の斜架材２，３の交差部Ｃ２と交差部Ｃ３間の距離ｄ３は１５５，５ｍｍ、交差部Ｃ３と交差部Ｃ４間の距離ｄ４は１５６ｍｍ、交差部Ｃ４と交差部Ｃ５間の距離ｄ５は１５６．５ｍｍとする。
このように上方側の交差部間の距離を、下方側の交差部間の距離よりも小さくすることによって、図１６に示すように無重力状態での扉本体９、あるいは扉本体９を地面上に寝かせた状態（扉本体９を水平状態に置き扉本体９に縦方向の荷重を与えない状態）で伸長させると、扉本体９は移動側端が次第に上昇する逆扇状に伸長する。
しかしながら、このような扉本体９の吊元側端を吊元柱１０等の固定部材に連結すると、扉本体９の重力、斜架材２，３における各ピン軸４ａ、４ｂ、４ｃ，４ｄとのクリアランス、斜架材２，３の撓み等により、扉本体９の移動側端に垂れが発生する。この扉本体９の垂れによる下降量と、無重力状態での扉本体９の逆扇状の変形による上昇量とが相殺されて、扉本体９は略水平に移動し、扉本体９の移動側端の垂れによる不具合を解消することができる。
【００３４】
図１のように扉本体９を全閉した後は、扉本体９の移動柱１４に設けた錠前１５によって移動柱１４を戸当り柱１１に施錠する。
【００３５】
つぎに、扉本体９を図１に実線で示す全閉状態から収縮して開く場合は、扉本体９の移動柱１４の把手１６を持って吊元柱１０側へ引いて行く。すると、上段のパンタグラフ機構５の縦格子８と連結された最上部以外の交差部Ｃ２は縦格子８に対し移動タイプのピン軸４ｂを介して下方向に摺動し、下段のパンタグラフ機構６の縦格子８に連結された最下部以外の交差部Ｃ２は移動タイプのピン軸４ｂを介して上方向へ摺動してパンタグラフ機構５，６が収縮し、隣り合う縦格子８，８同士の間隔が一様に狭まって行くので、吊元側に扉本体９を収縮状態に納めることができる（図１の仮想線Ｆの状態図を参照）。
【００３６】
図１に示す実施例では、扉本体９を伸ばした閉扉状態において、下段のパンタグラフ機構６の斜架材２，３と縦格子８とが成す角度θ１と、上段のパンタグラフ機構５の斜架材２，３と縦格子８とが成す角度θ２とを等しくする、つまり下段のパンタグラフ機構６の斜架材２，３と上段のパンタグラフ機構５の斜架材２，３とを平行に配置してあるが、これに代えて、扉本体９を伸ばした閉扉状態において、下段のパンタグラフ機構６の斜架材２，３と縦格子８とが成す角度θ１は、上段のパンタグラフ機構５の斜架材２，３と縦格子８とが成す角度θ２よりも小さく設定することができる。
これによると、扉本体９を伸ばした閉扉状態において、下段のパンタグラフ機構６の斜架材２，３と縦格子８とが成す角度θ１と、上段のパンタグラフ機構５の斜架材２，３と縦格子８とが成す角度θ２とを等しくする、つまり下段のパンタグラフ機構６の斜架材２，３と上段のパンタグラフ機構５の斜架材２，３とを平行に配置するものに比べ、無パンタグラフ機構ゾーン７の上下間隔を狭くすることができるため、それだけ伸縮門扉１による遮蔽感をより高めることができる。
【００３７】
上記実施例では、上下二列のパンタグラフ機構５，６、無パンタグラフ機構ゾーン７を備えた伸縮門扉について説明するが、本発明はパンタグラフ機構を一列のみ備える伸縮門扉にも同様に適用できる。また上記実施例の片開き伸縮門扉以外に、両開き伸縮門扉にも適用でき、そのほか扉本体９の下部にキャスターを付ける伸縮門扉などにも適用できることは言うまでもない。
【符号の説明】
【００３８】
１  伸縮門扉
２  吊元側上がり（右上がり）斜架材
３  吊元側下がり（右下がり）斜架材
４ａ，４ｂ，４ｃ，４ｄ  ピン軸
５  上段のパンタグラフ機構
６  下段のパンタグラフ機構
９  扉本体
１０  吊元柱
２３・２３  第１辺部
２４・２４  第２辺部
２３ａ  第１辺部の上端縁
２３ｂ  第１辺部の下端縁
２４ａ  第２辺部の上端縁
２４ｂ  第２辺部の下端縁
２５・２５  第３辺部
２６・２６  第４辺部
２５ａ  第３辺部の上端縁
２５ｂ  第３辺部の下端縁
２６ａ  第４辺部の上端縁
２６ｂ  第４辺部の下端縁
２７，２８  リブ
２９  上部エンドキャップ
２９ａ  上部エンドキャップの差込脚部
２９ｂ  上部エンドキャップの頭側端縁
２９ｃ  上部エンドキャップの鍔
３０  下部エンドキャップ
３０ａ  下部エンドキャップの差込脚部
３０ｂ  下部エンドキャップの頭側端縁
３０ｃ  下部エンドキャップの鍔
３１  孔
５１  凹溝
【図１】
0005496134.tif 000002
【図２】
0005496134.tif 000003
【図３】
0005496134.tif 000004
【図４】
0005496134.tif 000005
【図５】
0005496134.tif 000006
【図６】
0005496134.tif 000007
【図７】
0005496134.tif 000008
【図８】
0005496134.tif 000009
【図９】
0005496134.tif 000010
【図１０】
0005496134.tif 000011
【図１１】
0005496134.tif 000012
【図１２】
0005496134.tif 000013
【図１３】
0005496134.tif 000014
【図１４】
0005496134.tif 000015
【図１５】
0005496134.tif 000016
【図１６】
0005496134.tif 000017
【図１７】
0005496134.tif 000018